(57)【要約】      （修正有）【課題】へら部を載置面より浮上した状態でご飯しゃもじを掛け下げできるスタンドを備え、また、ご飯しゃもじ自体も、へら部を載置面より浮上した状態で載置できるスタンド付ご飯しゃもじを提供する。【解決手段】ご飯しゃもじＡと、このご飯しゃもじＡを掛け下げするためのスタンドＢとから成り、ご飯しゃもじＡには、このご飯しゃもじＡをへら部２が載置面より浮上した状態でスタンドＢに掛止するための掛止用突起４を突設すると共に、この掛止用突起４が、載置面に接地することでへら部２を載置面より浮上した状態で載置し得るように構成する。【選択図】図１
0003131797.tif 000002
【実用新案登録請求の範囲】
【請求項１】
握持部の先端部にへら部を設けたご飯しゃもじと、このご飯しゃもじを掛け下げするためのスタンドとから成り、前記ご飯しゃもじには、前記スタンドに掛止する掛止用突起を突設し、この掛止用突は、ご飯しゃもじの前記握持部を上にした立設状態であって前記へら部が載置面より浮上した状態でスタンドに掛止し得る形状に構成すると共に、この掛止用突起を下にしてご飯しゃもじを載置面に載置した際に、載置面に掛止用突起が接地することで前記へら部が載置面より浮上した状態で載置する形状に構成したことを特徴とするスタンド付ご飯しゃもじ。
【請求項２】
前記へら部と前記握持部との境界部の上面若しくは下面に、前記掛止用突起を突設したことを特徴とする請求項１記載のスタンド付ご飯しゃもじ。
【請求項３】
前記ご飯しゃもじは、前記掛止用突起よりも前記握持部の先端側に重心を有する構成として、この掛止用突起を下にしてご飯しゃもじを載置面に載置した際に、載置面に掛止用突起と握持部若しくは握持部に設けた接地部とが接地することで前記へら部が載置面より浮上した状態で載置するように構成したことを特徴とする請求項１，２のいずれか１項に記載のスタンド付ご飯しゃもじ。
【請求項４】
前記ご飯しゃもじは、肉薄な前記へら部と肉厚な前記握持部との境界部に前記掛止用突起が突設する形状に一体成形して構成したことを特徴とする請求項１〜３のいずれか１項に記載のスタンド付ご飯しゃもじ。
【請求項５】
前記ご飯しゃもじに、段差状に突出する前記掛止用突起を設け、この掛止用突起の段差面部を前記スタンドの上端部に掛止し得るように構成したことを特徴とする請求項１〜４のいずれか１項に記載のスタンド付ご飯しゃもじ。
【請求項６】
前記スタンドの上端部を凸形若しくは凹形に形成すると共に、前記掛止用突起を凹形若しくは凸形に形成して、この掛止用突起を前記スタンドの上端部に凹凸係合状態で掛止し得るように構成したことを特徴とする請求項１〜５のいずれか１項に記載のスタンド付ご飯しゃもじ。
【考案の詳細な説明】
【技術分野】
【０００１】
本考案は、ご飯しゃもじを掛け下げするスタンドを備えたスタンド付ご飯しゃもじに関するものである。
【背景技術】
【０００２】
ご飯をよそい終えたご飯しゃもじは、お代わりしたいときなどの再び使用するまでの間適所に仮置きしておくが、この際、例えば、炊飯器を設置した棚上や流し台上にへら部を直置きすることは不衛生であるため避けたいし、一度人の手に触れたご飯しゃもじを炊飯器の中に入れておくことも不衛生であるなどの理由から、この仮置き場所に困ることが往々にしてある。
【考案の開示】
【考案が解決しようとする課題】
【０００３】
本考案は、この点、へら部を載置面より浮上した状態で且つ握持部を上にした立設状態にしてご飯しゃもじを掛け下げできる専用スタンドを備え、また、ご飯しゃもじ自体も、へら部を載置面より浮上した状態で直置きできる構成の実用性に秀れたスタンド付ご飯しゃもじを提案するものである。
【課題を解決するための手段】
【０００４】
添付図面を参照して本考案の要旨を説明する。
【０００５】
握持部１の先端部にへら部２を設けたご飯しゃもじＡと、このご飯しゃもじＡを掛け下げするためのスタンドＢとから成り、前記ご飯しゃもじＡには、前記スタンドＢに掛止する掛止用突起４を突設し、この掛止用突起４は、ご飯しゃもじＡの前記握持部１を上にした立設状態であって前記へら部２が載置面３より浮上した状態でスタンドＢに掛止し得る形状に構成すると共に、この掛止用突起４を下にしてご飯しゃもじＡを載置面３に載置した際に、載置面３に掛止用突起４が接地することで前記へら部２が載置面３より浮上した状態で載置する形状に構成したことを特徴とするスタンド付ご飯しゃもじに係るものである。
【０００６】
また、前記へら部２と前記握持部１との境界部の上面若しくは下面に、前記掛止用突起４を突設したことを特徴とする請求項１記載のスタンド付ご飯しゃもじに係るものである。
【０００７】
また、前記ご飯しゃもじＡは、前記掛止用突起４よりも前記握持部１の先端側に重心を有する構成として、この掛止用突起４を下にしてご飯しゃもじＡを載置面３に載置した際に、載置面３に掛止用突起４と握持部１若しくは握持部１に設けた接地部とが接地することで前記へら部２が載置面３より浮上した状態で載置するように構成したことを特徴とする請求項１，２のいずれか１項に記載のスタンド付ご飯しゃもじに係るものである。
【０００８】
また、前記ご飯しゃもじＡは、肉薄な前記へら部２と肉厚な前記握持部１との境界部に前記掛止用突起４が突設する形状に一体成形して構成したことを特徴とする請求項１〜３のいずれか１項に記載のスタンド付ご飯しゃもじに係るものである。
【０００９】
また、前記ご飯しゃもじＡに、段差状に突出する前記掛止用突起４を設け、この掛止用突起４の段差面部４Ａを前記スタンドＢの上端部に掛止し得るように構成したことを特徴とする請求項１〜４のいずれか１項に記載のスタンド付ご飯しゃもじに係るものである。
【００１０】
また、前記スタンドＢの上端部を凸形若しくは凹形に形成すると共に、前記掛止用突起４を凹形若しくは凸形に形成して、この掛止用突起４を前記スタンドＢの上端部に凹凸係合状態で掛止し得るように構成したことを特徴とする請求項１〜５のいずれか１項に記載のスタンド付ご飯しゃもじに係るものである。
【考案の効果】
【００１１】
本考案は上述のように構成したから、スタンドにご飯しゃもじの掛止用突起を掛止することにより、載置面に直接へら部が触れない衛生的な状態でご飯しゃもじを掛け下げすることができるし、この掛け下げ状態では握持部が上を向いた状態となっているため、ご飯しゃもじを使う際に握持部を容易に握持することができ、また、スタンドを用いない場合であっても、掛止用突起を載置面に接地することで載置面に直接へら部が触れない衛生的な状態でご飯しゃもじを載置することができ、しかも、スタンドへ掛止するための前記掛止用突起がご飯しゃもじを載置面に載置する際の接地脚としても機能する構成であるので、掛止用突起の他に別の接地脚を設けるような構成とせずとも良く、それ故本考案のご飯しゃもじは製作容易で簡易に設計実現可能となるなど、極めて実用性に秀れたスタンド付ご飯しゃもじとなる。
【００１２】
また、請求項２記載の考案においては、掛止用突起がへら部の掬い機能を阻害することもないし、握持部の握持操作の邪魔ともならず、尚且つスタンドの高さをさほど高くせずともへら部を載置面より浮上状態で掛止する構成にできるし、掛止用突起の突出度をさほど大きくせずとも載置面に掛止用突起を接地した際にへら部が載置面より浮上状態で載置する構成を簡易に設計実現可能となるなど、一層実用性に秀れた構成のスタンド付ご飯しゃもじとなる。
【００１３】
また、請求項３記載の考案においては、掛止用突起を下にしてご飯しゃもじを載置面に載置した際に、載置面に掛止用突起が接地することでへら部が載置面より浮上した状態で載置することになる構成を簡易に設計実現可能となる一層実用性に秀れた構成のスタンド付ご飯しゃもじとなる。
【００１４】
また、請求項４記載の考案においては、掛止用突起を備えたご飯しゃもじを簡易に設計実現可能となり、しかも、肉薄なへら部と、肉厚な握持部との厚みの違いを利用して境界部に掛止用突起を設けるため、既存のご飯しゃもじの機能とデザインを踏襲した体裁の良い掛止用突起付のご飯しゃもじを構成可能であるし、肉厚な握持部は肉薄なへら部より重量を大きくして重心を握持部側に存するように構成することが容易に可能であるので、載置面に掛止用突起が接地することで前記へら部が載置面より浮上した状態で載置する構成を簡易に設計実現可能となるなど、一層実用性に秀れた構成のスタンド付ご飯しゃもじとなる。
【００１５】
また、請求項５記載の考案においては、握持部を上にした立設状態にして且つへら部が載置面より浮上した状態にしてご飯しゃもじをスタンドに掛止し得る掛止構造を簡易に設計実現可能となる一層実用性に秀れた構成のスタンド付ご飯しゃもじとなる。
【００１６】
また、請求項６記載の考案においては、ご飯しゃもじのスタンドへの掛止状態が安定的に維持されるので、ご飯しゃもじが簡単にスタンドから脱落することのない一層実用性に秀れた構成のスタンド付しゃもじとなる。
【考案を実施するための最良の形態】
【００１７】
好適と考える本考案の実施形態（考案をどのように実施するか）を、図面に基づいて本考案の作用を示して簡単に説明する。
【００１８】
載置面３に載置したスタンドＢに、ご飯しゃもじＡの掛止用突起４を掛止すると、ご飯しゃもじＡが握持部１を上にした立設状態にしてスタンドＢに掛け下げられると共に、へら部２が載置面３より浮上した状態となる。
【００１９】
従って、スタンドＢを利用することにより、載置面３に直接へら部２が触れない衛生的な状態でご飯しゃもじＡを掛け下げて仮置きなどを行うことができる。
【００２０】
また、スタンドＢに掛け下げたご飯しゃもじＡを使用するときは、握持部１が上を向いた状態で掛け下げられているため、この握持部１を握持し易く使い易い。
【００２１】
また、スタンドＢを使用せずにご飯しゃもじＡを載置面３に直置きすることもできるが、この際、掛止用突起４を下にしてこの掛止用突起４を載置面３に接地させると、へら部２が載置面３より浮上した状態で載置することになる。
【００２２】
従って、スタンドＢを用いずとも、載置面３に直接へら部２が触れない衛生的な状態でご飯しゃもじＡを載置することができる。
【００２３】
また、本考案においては、スタンドＢへ掛止するための掛止用突起４がご飯しゃもじＡを載置面３に載置する際の接地脚としても機能するので、掛止用突起４の他に別の接地脚構造を設けずとも良く、それ故本考案のご飯しゃもじＡは、実質的に既存のご飯しゃもじに掛止用突起４を追加するだけの構造変更で構成可能であるので、製作容易で簡易に設計実現可能である。
【００２４】
また、例えば、前記へら部２と前記握持部１との境界部の上面若しくは下面に、前記掛止用突起４を突設した構成とすれば、掛止用突起４がへら部２の掬い機能を阻害することもないし、握持部１の握持操作の邪魔ともならず、尚且つへら部２の先端部から前記境界部までの長さ幅よりもやや高い高さを有するスタンドＢであれば、へら部２を載置面３より浮上状態にして掛止できるので、スタンドＢの高さをさほど高くせずとも構成可能で簡易に設計実現可能であるし、載置面３に掛止用突起４を接地した際にへら部２が載置面３より浮上状態で載置できる構成も、へら部２の上面若しくは下面が載置面３に接しない程度にへら部２を浮かせれば良いので、掛止用突起４の突出度をさほど大きくせずとも良い上、例えば、握持部１側に重心を有するように構成することで簡易に設計実現可能であるなど、一層実用的な構成となる。
【００２５】
また、例えば、前記ご飯しゃもじＡは、前記掛止用突起４よりも前記握持部１の先端側に重心を有する構成とすれば、この掛止用突起４を下にしてご飯しゃもじＡを載置面３に載置した際に、載置面３に掛止用突起４が接地することで前記へら部２が載置面３より浮上した状態で載置する構成を簡易に設計実現可能となり、一層実用的な構成となる。
【００２６】
また、例えば、前記ご飯しゃもじＡは、肉薄な前記へら部２と肉厚な前記握持部１との境界部に前記掛止用突起４が突設する形状に一体成形して構成すれば、掛止用突起４を備えたご飯しゃもじＡを例えば樹脂成形などにより簡易に設計実現可能となり、しかも、通常ご飯を掬い易くするために肉薄に形成されるへら部２と、通常握持し易くするために肉厚に形成される握持部１との厚みの違いを利用して境界部に掛止用突起４を設けるため、へら部２と握持部１の機能を損なうことがないし、大幅なデザイン変更を要することもなく、既存のご飯しゃもじのデザインを踏襲した違和感のない（体裁の良い）外観デザインを保ったまま掛止用突起４を構成可能であるし、肉厚な握持部１は肉薄なへら部２より重量を大きくして重心を握持部１側に存するように構成することが容易に可能であるので、掛止用突起４を下にしてご飯しゃもじＡを載置面３に載置した際に、載置面３に掛止用突起４が接地することで前記へら部２が載置面３より浮上した状態で載置する構成を簡易に設計実現可能となるなど、一層実用的な構成となる。
【００２７】
また、例えば、前記ご飯しゃもじＡに、段差状に突出する前記掛止用突起４を設け、この掛止用突起４の段差面部４Ａを前記スタンドＢの上端部に掛止し得るように構成すれば、握持部１を上にした立設状態にして且つへら部２が載置面３より浮上した状態にしてご飯しゃもじＡをスタンドＢに掛止し得る掛止構造を簡易に設計実現可能となり、一層実用的となる。
【００２８】
また、例えば、前記スタンドＢの上端部を凸形若しくは凹形に形成すると共に、前記掛止用突起４を凹形若しくは凸形に形成して、この掛止用突起４を前記スタンドＢの上端部に凹凸係合状態で掛止し得るように構成すれば、この凹凸係合によりご飯しゃもじＡのスタンドＢへの掛止状態が安定的に維持されるので、ご飯しゃもじＡが簡単にはスタンドＢから脱落することがなく、一層実用的となる。
【実施例】
【００２９】
本考案の具体的な実施例について図面に基づいて説明する。
【００３０】
本実施例は、図１，図２に示すように、握持部１の先端部にへら部２を設けたご飯しゃもじＡと、このご飯しゃもじＡを掛け下げて前記へら部２を載置面３より浮上した状態に設置するためのスタンドＢとから成る構成としている。
【００３１】
本実施例のご飯しゃもじＡは、図３，図４に示すように、へら部２を肉薄、握持部１を肉厚な形状とし、更にこの握持部１を、へら部２より長さのある形状することで握持部１の重量をへら部２より重くしている。即ち、本実施例のご飯しゃもじＡは、重心が握持部１側に存するように構成している。
【００３２】
また、本実施例のご飯しゃもじＡは、へら部２と握持部１との境界部に、前記スタンドＢに掛止する掛止用突起４を下方に向かって突設している。
【００３３】
具体的には、へら部２と握持部１との境界部の下面に、段差状に下方へ突出する前記掛止用突起４を設けている。
【００３４】
また、この段差状の掛止用突起４は、その段差面部４Ａがへら部２側に臨設する段差形状に形成すると共に、この段差面部４Ａは、図４に示すように、側方から見た際に前記へら部２の基部下面とで鋭角状をなすように、突出先端部側程へら部２方向へ向かって傾斜する傾斜段差面に形成している。
【００３５】
更に、この掛止用突起４の段差面部４Ａは、図２に示すように、後方から見た際に中央が上方へ凹んだ略三角形状を呈する凹形面に形成している。
【００３６】
本実施例では、握持部１を上にした際に下を向いた状態となるこの掛止用突起４の段差面部４Ａを、スタンドＢに上方から掛止し得るように構成している。
【００３７】
また、この掛止用突起４は、へら部２の下面よりも大きく下方へ突出するように設けて、この掛止用突起４を下にしてご飯しゃもじＡを載置面３に載置した際に、載置面３に掛止用突起４が接地すると、前記したようにご飯しゃもじＡの重心が握持部１側にあることにより前記へら部２が載置面３に接することなく浮上した状態で載置することとなるように構成している（図４参照。）。
【００３８】
即ち、この掛止用突起４の突出度を、へら部２が載置面３より浮上した状態で載置できる突出度に設定している。
【００３９】
また、本実施例の握持部１は、図４に示すように掛止用突起４から握持部１先端までの下面を、その長さ方向の中程が最も上方へ向かって凹となる凹湾曲形状の下面に形成し、掛止用突起４を載置面３に載置した際には、この掛止用突起４の最も下方へ突出するへら部２側の下縁と握持部１の先端部の下縁とが接地して載置する構成としている。
【００４０】
このように構成した本実施例のご飯しゃもじＡは樹脂製とし、樹脂成形により掛止用突起４も含めて一体成形した構成としている。従って、本実施例のご飯しゃもじは、樹脂成形により容易に設計実現可能である。また、ご飯しゃもじＡ全体をフッ素樹脂製としてへら部２にご飯が付着しにくい構成としている。
【００４１】
本実施例のスタンドＢは、図１に示すように、板材を側方より見て略Ｌ字状に折曲した形状に構成して下側の水平板部を載置面３に接地する載置部５とし、上側の立設板部をご飯しゃもじＡを掛止支承する支承部６としている。
【００４２】
また、この支承部６は、上側程載置部５の先端（前端）側に向かって湾曲する形状に形成して、この支承部６の上端部に前記ご飯しゃもじＡの掛止用突起４を掛止するための掛止面部７を形成すると共に、支承部６上部の前側部に前記へら部２の下面を当接支承する支承面８を形成している。
【００４３】
従って、この掛止面部７に上方から前記掛止用突起４の段差面部４Ａを面接状態に掛止すると共に、前記支承面８にへら部２の下面を面接状態に支承することにより、ご飯しゃもじＡのへら部２の上面がスタンドＢの前方を向き且つ前記握持部１を上にした立設状態で、スタンドＢにご飯しゃもじＡを掛止し得るように構成している。また、この際、へら部２が載置面３に載置する前記載置部６の上面より浮上した状態でスタンドＢに掛止されることとなるように、支承部６の高さ寸法並びにへら部２の長さ寸法並びに掛止用突起４の、へら部２と握持部１の境界部での突設位置を設定構成している（図１参照。）。
【００４４】
また、スタンドＢにご飯しゃもじＡを掛止した際、湾曲形状の支承部６の後側面部と、前記握持部１の下面の湾曲面とが略面一状態となって、この支承部６の後側面部と前記握持部１の下面の湾曲面とで同調した湾曲ラインを呈するように握持部１，支承部６双方の形状を設定構成し、これにより掛止状態におけるご飯しゃもじＡとスタンドＢとの一体感をデザイン的に演出し、体裁の良い商品形態に構成している（図１参照。）。また、例えば、ご飯しゃもじＡとスタンドＢとを同色とすると、一層一体感が強調されてデザイン性が向上することになるので好ましい。
【００４５】
また、この掛止面部７は、前記段差面部４Ａの傾斜に対応させて支承部６に対して前傾する傾斜面に形成し、この傾斜する掛止面部７に段差面部４Ａを面接状態に掛止すると、ご飯しゃもじＡが略立設状態に掛止される構成としている。更に、この際、双方共傾斜面である段差面部４Ａと掛止面部７との関係により、ご飯しゃもじＡの自重によってへら部２の下面とスタンドＢの前記支承面８とが常に接近当接し合うように作用して、ご飯しゃもじＡがスタンドＢに対して簡単には前後移動せず、ご飯しゃもじＡがスタンドＢから簡単に脱落することのない構成としている。
【００４６】
また、この掛止面部７は、図１に示すように、前記段差面部４Ａの凹形状に対応させて、後方から見た際に中央が上方へ突出した略三角形状を呈する凸形面に形成している。
【００４７】
従って、段差面部４Ａを掛止面部７に掛止すると、段差面部４Ａと掛止面部７とは凹凸係合状態となり、これによりご飯しゃもじＡがスタンドＢに対して簡単には左右移動せず、ご飯しゃもじＡがスタンドＢから簡単に脱落することのない構成としている。
【００４８】
このように構成した本実施例のスタンドＢは樹脂製とし、樹脂成形により一体成形した構成としている。従って、本実施例のスタンドＢも、樹脂成形により容易に設計実現可能である。
【００４９】
尚、本考案は、本実施例に限られるものではなく、各構成要件の具体的構成は適宜設計し得るものである。
【００５０】
例えば、本実施例では、ご飯しゃもじＡのへら部２と握持部１との境界部の下面に掛止用突起４を突設した場合を示したが、境界部の上面に掛止用突起４を突設する構成としても良い。
【００５１】
また、本実施例で示した段差面部４Ａと掛止面部の凹・凸の関係は逆でも良いし、凹・凸の形状も本実施例とは異なる形状としても良い。
【００５２】
更に、例えば掛止用突起４の段差面部４Ａに凸部若しくは凹部を設ける一方、この凸部若しくは凹部が係合する凹部若しくは凸部を前記掛止面部７に設けて、この凸部と凹部の凹凸係合により掛止状態が位置決めされるような構成としても良い。この場合、掛止用突起４の段差面部４Ａに凹部を設けると、この凹部にご飯つぶが入り込んでとれにくくなるおそれがあるので段差面部４Ａには凸部を設ける構成が好ましく、また、この凸部は洗いにくくならない程度の大きさの凸部とすることが好ましい。また、この凸部と凹部による位置決め構造を採用した場合には、段差面部４Ａと掛止面部７とは凹形面，凸形面でなく、単なる平坦面としても良い。
【図面の簡単な説明】
【００５３】
【図１】本実施例の分離状態並びに掛止状態を示す説明斜視図である。
【図２】本実施例の分離状態を示す説明背面図である。
【図３】本実施例のご飯しゃもじを示す説明斜視図である。
【図４】本実施例のご飯しゃもじを載置面に載置した状態を示す側面図である。
【符号の説明】
【００５４】
１  握持部
２  へら部
３  載置面
４  掛止用突起
４Ａ  段差面部
Ａ  ご飯しゃもじ
Ｂ  スタンド
【図１】
0003131797.tif 000003
【図２】
0003131797.tif 000004
【図３】
0003131797.tif 000005
【図４】
0003131797.tif 000006